(57)【要約】  従来技術で必要とされている、電縫溶接後の追加の溶接処理を施さなくても、優れた溶接部の特性を有する電縫溶接ステンレスクラッド鋼管およびその製造方法を提供する。  低炭素低合金鋼とステンレス鋼からなるクラッド鋼の熱延鋼帯を管状に成形し、該熱延鋼帯の端部を電縫溶接してなる電縫溶接ステンレスクラッド鋼管であって、電縫溶接ままで電縫溶接部の偏平特性が下記式を満足することを特徴とする電縫溶接ステンレスクラッド鋼管。                                          記                                ｈ／Ｄ＜０．３                            ここで、ｈ：偏平割れ高さ（ｍｍ）                                    Ｄ：管外径（ｍｍ）
2016143271.tif 000002
【特許請求の範囲】
【請求項１】
低炭素低合金鋼とステンレス鋼からなるクラッド鋼が素材である電縫溶接ステンレスクラッド鋼管であって、電縫溶接ままで電縫溶接部の偏平特性が下記式（１）を満足する電縫溶接ステンレスクラッド鋼管。
記
ｈ／Ｄ＜０．３    ・・・（１）
ここで、ｈ：偏平割れ高さ（ｍｍ）
Ｄ：管外径（ｍｍ）
【請求項２】
前記電縫溶接部の板厚ｔｗが下記式（２）を満足する請求項１に記載の電縫溶接ステンレスクラッド鋼管。
記
０．７×ｔｂ  ＜  ｔｗ  ＜  １．６×ｔｂ    ・・・（２）
ここで、ｔｂ：母材部の板厚（ｍｍ）
ｔｗ：電縫溶接部の板厚（ｍｍ）
【請求項３】
請求項１または２に記載の電縫溶接ステンレスクラッド鋼管の製造方法であって、前記電縫溶接時に、被溶接部を不活性ガスからなるシールドガスでガスシールドする電縫鋼管の素管被溶接部シールド方法を用いて、前記被溶接部に対し該被溶接部上端から５〜３００ｍｍ上方の位置に、素管周方向に対して３層に分割したガス放出口を配位したシールドガス吹付け用ノズルの前記ガス放出口から前記シールドガスを、前記３層のうちの中央層のガス放出口からのガス放出流速Ｂは、０．５〜５０ｍ／ｓとし、残りの両端層のガス放出口からのガス放出流速Ａ（ｍ／ｓ）は下記式（３）を満たす流速として、吹付ける電縫溶接ステンレスクラッド鋼管の製造方法。
記
０．０１≦Ｂ／Ａ≦１０    ・・・（３）
【請求項４】
前記ガス放出口の形状は、寸法の通管方向成分である長さが３０ｍｍ以上、寸法の素管エッジ突合せ方向成分である幅が５ｍｍ以上の矩形状である請求項３に記載の電縫溶接ステンレスクラッド鋼管の製造方法。
【請求項５】
前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たす請求項３または４に記載の電縫溶接ステンレスクラッド鋼管の製造方法。
【請求項６】
前記不活性ガスに代えて、還元性ガスを０．１質量％以上含有するガスとする請求項３〜５の何れかに記載の電縫溶接ステンレスクラッド鋼管の製造方法。
【発明の詳細な説明】
【技術分野】
【０００１】
本発明は、電縫溶接ステンレスクラッド鋼管およびその製造方法に関し、特に、電縫溶接ままで溶接部の特性が優れた電縫溶接ステンレスクラッド鋼管およびその製造方法に関する。
【背景技術】
【０００２】
通常、電縫鋼管は、鋼板（鋼帯ともいう）を管状に成形し、高周波電流によって加熱・溶融された対向する鋼帯幅端部を、スクイズロールにより突き合せ加圧して溶接し製造される。電縫鋼管の場合、一般に溶接部の特性は母材より劣ると云われ、鋼管の適用に当たって、用途ごとに溶接部の靭性や強度や伸びなどの保証が常に議論されて問題となってきた。【０００３】
電縫溶接部の特性を低下させる原因としては、ペネトレータと呼ばれる酸化物主体の溶接欠陥が、電縫溶接時に被溶接部（詳しくは、帯材を丸めてなるオープン管である素管の周方向両端面を突き合せた部位である素管エッジ突合せ部）に生成して残留し、この残留したペネトレータを原因として靭性が低下したり強度不足になったりする例が多かった。【０００４】
そこで、従来技術として電縫溶接不良の主原因であるペネトレータを溶接部から除くため、スクイズロールによるアプセット量を板厚（ｔ）より大きくして、溶接時に生じる酸化溶融物を管外面に排出する対策が取られてきた。【０００５】
しかしながら、クラッド鋼板を素材として電縫溶接クラッド鋼管を製造する場合、スクイズロールによるアプセット量を板厚（ｔ）より大きくすると、図６（a）に示すように、母材である普通鋼の溶融鋼および熱影響部が内面側或いは外面側またはその両側の合せ材の金属シーム部に侵入する現象が生じ、合せ材の優れた特性を活かすクラッド鋼としての性能が失われる。例えば、管内面側の合せ材がステンレス鋼、管外面側の母材が低合金鋼であるステンレスクラッド鋼板を素材とし、上記のようにアプセット量を板厚（ｔ）より大きくして電縫溶接した電縫溶接ステンレスクラッド鋼管を、管内面に耐食性が要求される環境下で使用すると、ステンレス鋼のシーム部は、低合金鋼が侵入しているために、耐食性が著しく低下しており、要求性能を発揮できないという問題があった。なお、ここでいう、クラッド鋼は、母材としての低炭素低合金鋼と、合せ材としてのステンレス鋼とからなるクラッド鋼を対象とする。【０００６】
このような問題に対し、特許文献１に、管状に曲成したクラッド鋼板または鋼帯の対向両縁部を突合せ溶接した溶接ビード中の少なくとも合せ材側ビードを、母材に到る深さまで切削除去し、切削除去部に合せ材と同様性質を有する肉盛溶接を施すクラッド管の製造方法が開示されている。【０００７】
また、特許文献２に、クラッド鋼帯を素管に成形し、継目エッジ部を電縫溶接した後、異種金属が侵入した溶接シームに沿って、クラッド界面部の深さまで溶融・凝固させて、該異種金属を希釈する、または、異種金属が侵入したシーム部を合せ材と同種の金属で肉盛溶接し、該肉盛溶接部を圧延して前記異種金属を希釈するクラッド鋼の鋼管製造方法が開示されている。【０００８】
さらに、特許文献３に、内面側を合せ材としたクラッド鋼溶接鋼管の製造方法において、クラッド鋼の原板または原コイルを成形して内面を合せ材とした管状体の合せ材突合せの少なくとも一部分を電縫溶接し、その後突合せ未溶接部を肉盛溶接するクラッド鋼溶接鋼管の製造方法が開示されている。
【先行技術文献】
【特許文献】
【０００９】
【特許文献１】特開昭６０-２２１１７３号公報
【特許文献２】特開昭６２−１５６０８７号公報
【特許文献３】特開平５−１５４５４５号公報
【発明の概要】
【発明が解決しようとする課題】
【００１０】
しかしながら、上記の特許文献１〜３に記載の技術は、いずれも電縫溶接後に、合せ材ビード部を切削除去して肉盛溶接する（特許文献１）、溶接シームに沿ってＴＩＧアーク熱源などで溶融・凝固または肉盛溶接する（特許文献２）、突合せ未溶接部を肉盛溶接する（特許文献３）、などの追加の溶接工程が必要なため、生産性が低下し、製造コストが増大するとともに、追加の肉盛溶接で環境面の悪影響を生じるという課題があった。【００１１】
本発明の目的は、従来技術で必要とされている、電縫溶接後の追加の溶接処理を施さなくても、優れた溶接部の特性を有する電縫溶接ステンレスクラッド鋼管およびその製造方法を提供することである。
ここで、優れた溶接部の特性とは、破断特性に優れていること、溶接部の形状が良好であること、および耐食性に優れていることを主に指す。
【課題を解決するための手段】
【００１２】
本発明者らは、前記課題を解決する為に鋭意検討し、その結果、素管のエッジ部加熱起点から溶接点に至る通管範囲をシールドボックスで覆わずに、前記通管範囲内で素管の被溶接部直上から被溶接部にシールドガスを吹き付ける場合、被溶接部の上端からシールドガス吹付け用ノズルにおけるシールドガスの放出口までの高さであるノズル高さ、及び吹付けるシールドガスの流速を適正に制御することに加え、前記シールドガス吹付け用ノズルの構造を素管周方向に対して３層以上に分割した構造とし、両端層のガス放出口からの吹付けガス流速と残りの層のガス放出口からの吹付けガス流速の比を適性に制御することにより、被溶接部の酸素濃度を格段に低減できることを見出した。【００１３】
そこで、管内面側の合せ材が厚さ２ｍｍのステンレス鋼（ＳＵＳ３１６）、管外面側の母材が厚さ５ｍｍの低炭素低合金鋼であるステンレスクラッド鋼板を素材とし、図６（ｂ）に示すように、管内面側のステンレス鋼のシーム部に管外面側の低合金鋼が侵入しない板厚以下のアプセット量で、被溶接部の酸素濃度を変化させて電縫溶接ステンレスクラッド鋼管を製造し、シーム部の偏平試験を行った。その結果、図５に示すように、被溶接部の酸素濃度が０．０１質量％以下になる雰囲気下で製造された電縫溶接ステンレスクラッド鋼管は、９０°偏平試験における偏平値ｈ／Ｄ（ｈ：偏平割れ高さ、Ｄ：管外径）が０．３未満となり、破断特性に優れた溶接部を有することが明らかとなり、本発明を成した。【００１４】
即ち本発明は以下の通りである。
［１］  低炭素低合金鋼とステンレス鋼からなるクラッド鋼が素材である電縫溶接ステンレスクラッド鋼管であって、電縫溶接ままで電縫溶接部の偏平特性が下記式（１）を満足することを特徴とする電縫溶接ステンレスクラッド鋼管。
記
ｈ／Ｄ＜０．３・・・（１）
ここで、ｈ：偏平割れ高さ（ｍｍ）
Ｄ：管外径（ｍｍ）【００１５】
［２］  前記電縫溶接部の板厚ｔｗが下記式（２）を満足することを特徴とする［１］に記載の電縫溶接ステンレスクラッド鋼管。
記
０．７×ｔｂ  ＜  ｔｗ  ＜  １．６×ｔｂ    ・・・（２）
ここで、ｔｂ：母材部の板厚（ｍｍ）
ｔｗ：溶接部の板厚（ｍｍ）【００１６】
［３］  ［１］または［２］に記載の電縫溶接ステンレスクラッド鋼管の製造方法であって、前記電縫溶接時に、被溶接部を不活性ガスからなるシールドガスでガスシールドする電縫鋼管の素管被溶接部シールド方法を用いて、前記被溶接部に対し該被溶接部上端から５〜３００ｍｍ上方の位置に、素管周方向に対して３層に分割したガス放出口を配位したシールドガス吹付け用ノズルの前記ガス放出口から前記シールドガスを、前記３層のうちの中央層のガス放出口からのガス放出流速Ｂは、０．５〜５０ｍ／ｓとし、残りの両端層のガス放出口からのガス放出流速Ａ（ｍ／ｓ）は下記式（３）を満たす流速として、吹付ける電縫溶接ステンレスクラッド鋼管の製造方法。
記
０．０１≦Ｂ／Ａ≦１０    ・・・（３）【００１７】
［４］  前記ガス放出口の形状は、寸法の通管方向成分である長さが３０ｍｍ以上、寸法の素管エッジ突合せ方向成分である幅が５ｍｍ以上の矩形状である［３］に記載の電縫溶接ステンレスクラッド鋼管の製造方法。【００１８】
［５］  前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たす［３］または［４］に記載の電縫溶接ステンレスクラッド鋼管の製造方法。【００１９】
［６］  前記不活性ガスに代えて、還元性ガスを０．１質量％以上含有するガスとする［３］〜［５］の何れかに記載の電縫溶接ステンレスクラッド鋼管の製造方法。
【発明の効果】
【００２０】
本発明によれば、従来技術で必要とされている、電縫溶接後の追加の溶接処理を施さなくても、優れた溶接部の特性を有する電縫溶接ステンレスクラッド鋼管を製造することができる。
【図面の簡単な説明】
【００２１】
【図１】本発明の実施形態を示す概略図である。
【図２】複数の層に分割したノズル構造の例を示す模式図である。
【図３】シールドガスのガス放出流速Ｂおよびガス流速比Ｂ／Ａの適正範囲を示す説明図である。
【図４】シールドガスのガス流速比Ｂ／Ａと被溶接部（素管エッジ突合せ部）の酸素濃度の関係を示す線図である。
【図５】電縫溶接ステンレスクラッド鋼管の９０°偏平試験における偏平値ｈ／Ｄと被溶接部（素管エッジ突合せ部）の酸素濃度の関係を示す線図である。
【図６】管内面側の合せ材がステンレス鋼、管外面側の母材が低合金鋼である電縫溶接ステンレスクラッド鋼管の電縫溶接時のアプセット量を変えた場合の溶接部の断面を示す模式図である。
【発明を実施するための形態】
【００２２】
図１は、本発明の実施形態を示す概略図である。鋼帯からなる帯材を図示しないアンコイラーで連続的に払出し、図示しないレベラーで矯正し、通管方向２０に送りつつ、図示しないロール成形機で帯材の幅を丸めて素管（オープン管）１０となし、該丸めた幅の両端面を突合せてなる素管エッジ突合せ部である被溶接部１１を電縫溶接機（図示しないエッジ部加熱用給電手段と図示しない圧接用スクイズロールとで構成されている）により、電縫溶接して、電縫鋼管１５を得る。１２は素管エッジ部加熱起点、１３は前記圧接により被溶接部１１が接合する通管方向位置を指す溶接点である。尚、素管１０乃至電縫鋼管１５の管内面側にはインピーダ（図示省略）を配置する場合もある。電縫溶接機を出た電縫鋼管１５は図示しないサイザーで外径調整をされる。図１中、符号２はガス配管を示し、符号３はガス調整器を示す。
【００２３】
本発明では、素管エッジ部加熱起点１２から溶接点１３までの通管方向範囲の全域、或いは当該範囲内の、被溶接部に酸化物が生成し易い区域（この区域は予備調査により特定できる）をシールド範囲とし、該シールド範囲において、被溶接部１１の直上の位置にシールドガス吹付け用ノズル（略してノズル）１を配置する。
【００２４】
ノズル１は、其のガス放出口１Ａを被溶接部１１上端と正対する様に配位して、配置される。
【００２５】
本発明では、ノズル１は、図１（ｂ）および図２（ａ）、（ｄ）に示すように、素管周方向３０に対して３層に分割したものとする。これらの層は互いに独立したガス流路をなす。またさらに、前記３層のうちの中央層１Ｃは、図２（ｂ）、（ｃ）に示すように、素管周方向３０に対して２層以上に分割しても良い。なお、両端層１Ｅは各１層ずつとする。
【００２６】
本発明では、背景技術で言及した処の、前記シールド範囲内の素管１０全周を覆うシールドボックスは、設けなくてもよい。むしろ設けない方が電縫鋼管の造管能率面、製造コスト面から好ましいから、この実施形態では設けていない。
【００２７】
本発明者らはシールドガスの流れについて詳細に観察した。さらに、ガス放出口１Ａの位置や寸法、ならびに中央層１Ｃ、両端層１Ｅそれぞれのガス放出口１Ａでのシールドガスの流速などの、様々なシールドガスの吹付け条件が、電縫溶接時の被溶接部１１の酸素濃度と、該被溶接部を電縫溶接してなる溶接部における酸化物の面積率とに及ぼす影響を詳細に調査した。
【００２８】
その結果、シールドガスの吹付け条件を最適にする事により、被溶接部の酸素濃度が０．０１質量％以下になり、溶接部の酸化物面積率が０．１％未満になることを発見した。ここで、溶接部の酸化物面積率とは、次のとおり定義される。すなわち、電縫溶接部のシャルピー衝撃試験を行うことにより得られる破面を電子顕微鏡により倍率５００倍以上で少なくとも１０視野観察して、その破面内に観察される酸化物を含んだディンプル破面部分を選別して、その総面積を測定し、これの視野総面積に対する割合を酸化物面積率とした。
【００２９】
前記発見した最適条件は、被溶接部１１上端からガス放出口１Ａまでの高さであるノズル高さが５ｍｍ以上３００ｍｍ以下（図１(ｃ)参照）であり、且つ、中央層１Ｃのガス放出口１Ａでのシールドガス５の流速Ｂが、Ｂ＝０．５〜５０ｍ／ｓ以下であり、且つ、両端層１Ｅのガス放出口１Ａでのシールドガス５の流速Ａが、０．０１≦Ｂ／Ａ≦１０（図３参照）を満たす流速であるという条件である。
【００３０】
前記ノズル高さが３００ｍｍを超えるとシールドガスが充分に被溶接部１１に届かず、被溶接部１１の酸素濃度が１００ｐｐｍ以下にならない。前記ノズル高さは小さい方が望ましいのであるが、５ｍｍを下回ると、加熱されている被溶接部１１からの輻射熱でガス放出口１Ａが傷み易く、更に被溶接部１１で発生したスパッタが衝突してノズル１の耐久性が劣化する。
【００３１】
流速を前記最適条件範囲内に制御するために、本発明では、前記ガス放出口から放出される前記シールドガスの流速を、前記３層のうちの中央層１Ｃのガス放出口からのガス放出流速Ｂは、Ｂ＝０．５〜５０ｍ／ｓに制御し、残りの両端層１Ｅのガス放出口からのガス放出流速Ａは式、０．０１≦Ｂ／Ａ≦１０、を満たす流速に制御するガス流調整器３（図１（ａ）、（ｂ）参照）を有するものとした。
【００３２】
流速Ｂが小さすぎると、シールドガスは周囲に拡散し、被溶接部１１のガスシールドが不十分となる。流速Ｂが大き過ぎると、シールドガスの勢いが強くなりすぎ、被溶接部１１の端面間への大気巻き込みを生じてしまう。よって、前記流速Ｂは０．５〜５０ｍ／ｓが適正範囲である。なお、中央層Ｃをさらに複数の層に分割した場合（例えば図２（ｂ）、（ｃ）など）、該複数の層についての流速Ｂは必ずしも同一の値である必要はなく、前記適正範囲内である限り、層ごとに異なる値であっても構わない。
【００３３】
しかし、流速Ｂを前記適正範囲に保ったとしても、流速Ｂと流速Ａとの比であるガス流速比Ｂ／Ａが不適正であると、図３に示すように、大気巻き込み６を防止するのは困難である。
【００３４】
すなわち、Ｂ／Ａ＜０．０１の場合は、両端層１Ｅからのガス流（シールドガス５の流れ）が強すぎ、かつ中央層１Ｃからのガス流が弱すぎるため、両端層１Ｅからのガス流が素管１０の外面で反射して上方に偏向し、その反射領域におけるガス流速が零に近くなって、素管１０の外面沿いの大気巻き込み６を防止できず（図３（ａ）参照）、被溶接部１１の酸素濃度を充分に低減することはできない。
【００３５】
一方、Ｂ／Ａ＞１０の場合は、中央層１Ｃからのガス流が強すぎ、かつ両端層１Ｅからのガス流が弱すぎるため、大気が中央層１Ｃからのガス流によって被溶接部１１の端面間に引きずり込まれて、大気巻き込み６を招来しやすく（図３（ｃ）参照）、被溶接部１１の酸素濃度を充分に低減することはできない。
【００３６】
これらに対し、Ｂ／Ａ＝０．０１〜１０とすることで、被溶接部１１の端面間にシールドガス５が過不足なく充満し、大気巻き込みもなく、十分なガスシールドが達成できる（図３（ｂ）参照）。なお、ガス流速比Ｂ／Ａにおける流速Ｂには、中央層１Ｃを複数の層に分割して、該複数の層の少なくとも１層からのガス流速を他層と違えた場合、該違えたガス流速同士のうちの最大流速を用いる。
【００３７】
因みに図４は、一例としてノズル高さ＝５０ｍｍとし、流速Ｂ＝０．５〜５０ｍ／ｓの適正範囲下でガス流速比Ｂ／Ａを種々変えて被溶接部１１にシールドガス５を吹き付け、被溶接部１１の端面間の中間位置で酸素濃度を測定した結果を示す線図である。
【００３８】
図４より、流速Ｂ＝０．５〜５０ｍ／ｓの適正範囲下で、ガス流速比Ｂ／Ａを、Ｂ／Ａ＝０．０１〜１０とすることによって、酸素濃度０．０１質量％以下が大きな余裕を持って（即ち確実に）クリアできる。
【００３９】
又、図４より、Ｂ／Ａ＝０．０３〜５とすると、更に低い酸素濃度レベルである０．００１〜０．０００１質量％が達成できて好ましい。この結果については、ノズル高さなど他の条件が変わっても同様であることを確認した。すなわち、本発明においてはＢ／Ａ＝０．０３〜５とすることが、酸素濃度レベル：０．００１〜０．０００１質量％を達成する上で好ましい。
【００４０】
ところで、ガス放出口１Ａの全層合併した形状については、寸法の通管方向２０成分である長さが３０ｍｍ以上、寸法の素管エッジ突合せ方向成分である幅が５ｍｍ以上の矩形状にすると、被溶接部１１へのガス吹付けをより均一にできて好ましい。
【００４１】
又、図１（ｃ）に示す様に、ガス放出口１Ａの全層合併した寸法の素管エッジ突合せ方向成分である幅をＲと記し、ガス放出口１Ａの直下の被溶接部１１の端面間の最大間隔をＷと記すとして、Ｒ／Ｗ＞１．０、を満たす様にすると、被溶接部１１の酸素濃度をより速やかに低減させる事ができて好ましい。
【００４２】
シールドガスとしては不活性ガスを用いる。此処に云う不活性ガスとは、窒素ガス、ヘリウムガス、アルゴンガス、ネオンガス、キセノンガス等、若しくはこれらの２種以上を混合してなる混合ガスなどを意味する。
【００４３】
更に、シールドガスとして、前記不活性ガスに代えて、還元性ガスを０．１質量％以上含有するガスとしてもよく、然も、むしろこの方が、ペネトレータの原因となる酸化物の生成を抑制する効果がより強くなり、溶接部の靭性又は強度を、より大きく向上させることができて好ましい。此処に云う還元性ガスとは、水素ガス、一酸化炭素ガス、メタンガス、プロパンガス等、若しくはこれらの２種以上を混合してなる混合ガスを意味する。尚、還元性ガスを０．１質量％以上含有するガスとしては、還元性ガスのみからなる組成、又は、還元性ガス：０．１質量％以上を含有し残部が不活性ガスからなる組成のものが好適である。
【００４４】
又、入手容易性及び廉価性の点からは、シールドガスとして次のガスを用いる事が好ましい。
(イ)  不活性ガス単独使用の場合：(Ｇ１) 窒素ガス、ヘリウムガス、アルゴンガスの何れか１種若しくはこれら２種以上の混合ガス
(ロ)  還元性ガス単独使用の場合：(Ｇ２) 水素ガス、一酸化炭素ガスの何れか１種若しくはこれら２種の混合ガス
(ハ)  不活性ガスと還元性ガスの混合ガス使用の場合：前記(Ｇ１)と(Ｇ２)の混合ガス
尚、特に、水素ガス及び／又は一酸化炭素ガスを含むガスを使用する場合、遺漏無き安全対策をとるべきことは云うまでも無い。
【００４５】
アプセット量については、溶接直前での管の外周長を測定したのち、溶接後の管の余盛部を除去した後の外周長を測定して、両者の差を計算することにより求めた。
【００４６】
以上のようにして得られる本発明の電縫鋼管（電縫溶接ステンレスクラッド鋼管）１５は、低炭素低合金鋼とステンレス鋼からなるクラッド鋼を素材としており、電縫溶接ままで電縫溶接部の偏平特性が下記式（１）を満足し、破断特性に優れた電縫溶接部を有する。
ｈ／Ｄ＜０．３    ・・・（１）
ここで、ｈ：偏平割れ高さ（ｍｍ）、Ｄ：管外径（ｍｍ）である。
また、上記の偏平特性は、９０°偏平試験により測定することができ、管を長さ３００ｍｍに切り出した後、管の真上を０°とした時に、管の９０°位置に溶接部を設置して、偏平試験を行い、溶接部に割れが発生したときの偏平高さ（偏平割れ高さｈ）を管外径Ｄで割ることにより求める。
【００４７】
また、電縫溶接部の板厚ｔｗ（ｍｍ）に０．７×ｔｂ（ｍｍ）以下の箇所があると、電縫溶接部の強度が低下する場合があるため、ｔｗは０．７×ｔｂよりも大きいことが好ましい。また、電縫溶接部の板厚ｔｗが１．６×ｔｂ以上の箇所があると、管と管を円周溶接して繋ぐ際に溶接部に隙間ができて耐食性が低下する場合があるため、ｔｗは１．６×ｔｂよりも小さいことが好ましい。従って、板厚ｔｗは下記式（２）を満足することが好ましい。
０．７×ｔｂ  ＜  ｔｗ  ＜  １．６×ｔｂ    ・・・（２）
ここで、ｔｂ：母材部の板厚（ｍｍ）、ｔｗ：溶接部の板厚（ｍｍ）である。
【実施例１】
【００４８】
管内面側の合せ材が厚さ２ｍｍのステンレス鋼（ＳＵＳ３１６、ＳＵＳ３０４、ＳＵＳ３１０、ＳＵＳ４２９）、管外面側の母材が厚さ５ｍｍの低炭素低合金鋼（０．０５質量％Ｃ−０．３質量％Ｓｉ−１．２質量％Ｍｎ−Ｆｅ）であるステンレスクラッド鋼板を素材とし、アンコイラー、レベラー、ロール成形機、電縫溶接機、サイザーをこの順に配置して構成された造管設備に通して、外径３００ｍｍの電縫溶接ステンレスクラッド鋼管を製造する工程において、電縫溶接時に被溶接部へのガスシールドを実行するにあたり、上述した実施形態の本発明範囲の内又は外でガス吹付け条件の水準、およびアプセット量を表１、表２に示すとおり種々変えて実行し、母材部の板厚ｔｂ（ｍｍ）および電縫溶接部の板厚ｔｗ（ｍｍ）の測定、被溶接部の酸素濃度の測定、溶接部の９０°偏平試験、および管内面側をシュウ酸エッチングによる腐食試験を行った。なお、還元性ガスとしては、３質量％水素ガスを用いた。スクイズロールによるアプセット量は、スクイズロールより手前の管の外周長を測定した後、スクイズロールにより溶接して外面の溶融ビード部を切削された後の管の外周長を測定して、両者の差を計算することにより求めた。母材部の板厚は溶接部を０°として管の周方向に６０°ピッチすなわち６０°、１２０°、１８０°、２４０°、３００°の位置における管の板厚を測定してそれらの平均値を求めて、溶接部の板厚は溶接の継ぎ目部の板厚を測定することにより求めた。
腐食試験では、粒界腐食が観察されなかったものを合格とし、粒界腐食が観察されたものを不合格とした。【００４９】
表１、表２に示されるとおり、本発明例では、比較例と比べて溶接部の偏平値ｈ／Ｄ（ｈ：偏平割れ高さ（ｍｍ）、Ｄ：管外径（ｍｍ））が桁違いに低減し、破断特性に優れ、かつ溶接部の形状が良好であるとともに、ステンレス鋼としての耐食性を維持した溶接部を有することが確認された。【００５０】
【表１】
2016143271.tif 000003
【００５１】
【表２】
2016143271.tif 000004
【符号の説明】
【００５２】
１    ノズル（シールドガス吹付け用ノズル）
１Ａ  ガス放出口
１Ｃ  中央層
１Ｅ  両端層
２    ガス配管
３    ガス調整器
５    シールドガス
６    大気巻き込み
１０  素管（オープン管）
１１  被溶接部（素管エッジ突合せ部）
１２  素管エッジ部加熱起点
１３  溶接点
１５  電縫鋼管
２０  通管方向
３０  素管周方向
【図１】
2016143271.tif 000005
【図２】
2016143271.tif 000006
【図３】
2016143271.tif 000007
【図４】
2016143271.tif 000008
【図５】
2016143271.tif 000009
【図６】
2016143271.tif 000010
【国際調査報告】
2016143271.tif 000011
2016143271.tif 000012
2016143271.tif 000013
2016143271.tif 000014
2016143271.tif 000015
2016143271.tif 000016